(57)【要約】      （修正有）【課題】同一チャンネルに複数の番組があるとき、異なる番組を切り替える際の違和感を抑制する。【解決手段】ディジタル放送受信装置は、受信手段１２と、受信した第１の番組と第２の番組とが同一か否かを判定する番組判定手段１４と、受信感度を抽出する感度抽出手段１６と、受信した第１の番組から第２の番組または第２の番組から第１の番組への切り替え手段１８と、切り替えられた番組を出力する出力手段２０と、番組判定手段により第１の番組と第２の番組が異なると判定されたとき、感度抽出手段から抽出された受信感度に基づき、第１の番組と第２の番組が同一であるときの第１の判定期間よりも長い第２の判定期間で第１の番組から第２の番組への切り替え条件が満足されているか否かを判定し、満足されていると判定したとき、第１の番組から第２の番組への切り替えを行わせる制御手段２２とを有する。【選択図】図３
2010178241.tif 000002
【特許請求の範囲】
【請求項１】
１つの伝送帯域を複数のセグメントに分割し、少なくとも１つのセグメントを利用した第１の変調方式による第１の番組と前記少なくとも１つのセグメントと異なるセグメントを利用した第２の変調方式による第２の番組を１つのチャンネルに含むディジタル放送を受信可能なディジタル放送受信装置であって、
ディジタル放送を受信する受信手段と、
受信したディジタル放送の第１の番組と第２の番組とが同一か否かを判定する番組判定手段と、
受信したディジタル放送の受信感度を抽出する感度抽出手段と、
受信したディジタル放送の第１の番組から第２の番組または第２の番組から第１の番組への切り替えを行う切り替え手段と、
前記切り替え手段により切り替えられた番組を出力する出力手段と、
前記番組判定手段により第１の番組と第２の番組が異なると判定されたとき、前記感度抽出手段から抽出された受信感度に基づき、第１の番組と第２の番組が同一であるときの第１の判定期間よりも長い第２の判定期間で第１の番組から第２の番組への切り替え条件が満足されているかか否かを判定し、切り替え条件が満足されていると判定したとき、前記切り替え手段に第１の番組から第２の番組への切り替えを行わせる制御手段と、
を有するディジタル放送受信装置。
【請求項２】
前記制御手段は、前記感度抽出手段から抽出されたディジタル放送の誤り率と閾値とを比較し、第２の判定期間内において誤り率が閾値を超えた期間が一定以上であるとき前記切り替え条件が満足されたと判定する、請求項１に記載のディジタル放送受信装置。
【請求項３】
前記制御手段は、第１の判定期間内において誤り率が第１の閾値を越えたか否かを判定し、第２の判定期間内において誤り率が第１の閾値より大きい第２の閾値を越えたか否かを判定する、請求項２に記載のディジタル放送受信装置。
【請求項４】
前記制御手段は、前記番組判定手段により第１の番組と第２の番組が異なると判定されたとき、前記感度抽出手段から抽出された受信感度に基づき、第１の番組と第２の番組が同一であるときの第３の判定期間よりも長い第４の判定期間で第２の番組から第１の番組への切り替え条件が満足されているかか否かを判定し、切り替え条件が満足されていると判定したとき、前記切り替え手段に第２の番組から第１の番組への切り替えを行わせる、請求項１に記載のディジタル放送受信装置。
【請求項５】
前記制御手段は、前記感度抽出手段から抽出されたディジタル放送の誤り率と閾値とを比較し、第４の判定期間内において誤り率が閾値以下となる期間が一定以上であるとき前記切り替え条件が満足されたと判定する、請求項４に記載のディジタル放送受信装置。
【請求項６】
前記制御手段は、第３の判定期間内において誤り率が第３の閾値以下か否かを判定し、第４の判定期間内において誤り率が第３の閾値より小さい第４の閾値以下か否かを判定する、請求項５に記載のディジタル放送受信装置。
【請求項７】
前記出力手段は、第１の番組と第２の番組とが異なるとき、前記制御手段からの制御に基づき第１の番組と第２の番組との間にフェードインおよびフェードアウトの少なくとも一方の映像および音声を挿入する、請求項１ないし６いずれか１つに記載のディジタル放送受信装置。
【請求項８】
１つの伝送帯域を複数のセグメントに分割し、少なくとも１つのセグメントを利用した第１の変調方式による第１の番組と前記少なくとも１つのセグメントと異なるセグメントを利用した第２の変調方式による第２の番組を１つのチャンネルに含むディジタル放送を受信可能なディジタル放送受信装置であって、
ディジタル放送を受信する受信手段と、
受信したディジタル放送の第1の番組と第２の番組とが同一か否かを判定する番組判定手段と、
受信したディジタル放送の受信感度を抽出する感度抽出手段と、
受信したディジタル放送の第１の番組から第２の番組または第２の番組から第１の番組への切り替えを行う切り替え手段と、
前記切り替え手段により切り替えられた番組を出力する出力手段と、
前記番組判定手段により第１の番組と第２の番組が異なると判定されたとき、前記感度抽出手段から抽出された受信感度に基づき、第１の番組と第２の番組が同一であるときの第１の閾値と異なる第２の閾値を用いて第１の番組から第２の番組への切り替え条件が満足されているかか否かを判定し、切り替え条件が満足されていると判定したとき、前記切り替え手段に第１の番組から第２の番組への切り替えを行わせる制御手段と、
を有するディジタル放送受信装置。
【請求項９】
前記制御手段は、受信したディジタル放送の誤り率と第２の閾値とを比較し、誤り率が第２の閾値を超えた期間が一定上であるとき前記切り替え条件が満足されたと判定する、請求項８に記載のディジタル放送受信装置。
【請求項１０】
前記制御手段は、前記番組判定手段により第１の番組と第２の番組が異なると判定されたとき、前記感度抽出手段から抽出された受信感度に基づき、第１の番組と第２の番組が同一であるときの第３の閾値と異なる第４の閾値を用いて第２の番組から第１の番組への切り替え条件が満足されているかか否かを判定し、切り替え条件が満足されていると判定したとき、前記切り替え手段に第２の番組から第１の番組への切り替えを行わせる、請求項８に記載のディジタル放送受信装置。
【請求項１１】
前記出力手段は、第１の番組と第２の番組とが異なるとき、前記制御手段からの制御に基づき第１の番組と第２の番組との間にフェードインおよびフェードアウトの少なくとも一方の映像および音声を挿入する、請求項６ないし１０いずれか１つに記載のディジタル放送受信装置。
【請求項１２】
１つの伝送帯域を複数のセグメントに分割し、少なくとも１つのセグメントを利用した第１の変調方式による第１の番組と前記少なくとも１つのセグメントと異なるセグメントを利用した第２の変調方式による第２の番組を１つのチャンネルに、含むディジタル放送を受信可能なディジタル放送受信装置における番組の切り替え方法であって、
選択されたチャンネルのディジタル放送を受信するステップと、
受信したディジタル放送の受信感度を抽出するステップと、
抽出された受信感度に基づき受信感度が悪化したと判定されたとき、第１の番組と第２の番組とが同一か否かを判定するステップと、
第１の番組と第２の番組が同一であると判定されたとき、第１の判定期間で第１の番組から第２の番組への切り替え条件を満足するか否かを判定し、第１の番組と第２の番組が異なると判定されたとき、第１の判定期間よりも長い第２の判定期間で第１の番組から第２の番組への切り替え条件を満足するか否かを判定するステップと、
前記切り替え条件を満足すると判定されたとき、第２の番組を出力するステップと、
を有する番組の切り替え方法。
【請求項１３】
前記切り替えの条件は、受信したディジタル放送の誤り率と閾値とを比較し、第２の判定期間内において誤り率が閾値を超えた期間が一定以上であるとき前記切り替え条件が満足されたと判定する、請求項１２に記載の番組の切り替え方法。
【請求項１４】
前記出力するステップは、第１の番組と第２の番組とが異なるとき、第１の番組から第２の番組の間にフェードインおよびフェードアウトの少なくとも一方の映像および音声を挿入するステップを含む、請求項１２または１３に記載の番組の切り替え方法。
【発明の詳細な説明】
【技術分野】
【０００１】
本発明は、ディジタルテレビ放送を受信する機能を備えた車載用受信装置に関し、特に、主階層放送番組（例えば、フルセグメントを利用した固定受信向けサービスの番組）と副階層放送番組（例えば、ワンセグメントを利用した移動体／携帯向けサービスの番組）のの切り替えに関する。
【背景技術】
【０００２】
地上ディジタル放送は、１チャンネルの伝送帯域を１３のセグメントに分割し、セグメント単位で異なる変調方式を採用することで、固定受信機向けの放送サービス（いわゆるフルセグメント放送）と、移動体／携帯端末向けの放送サービス（いわゆるワンセグメント）放送とを同時に送信することを可能にしている。
【０００３】
図１は、地上ディジタル放送のセグメント構造を示す図である。直交周波数分割多重方式（以下、ＯＦＤＭと称す）は、周波数軸上に狭帯域の搬送波を複数並べ、各搬送波にデータを振り分けて伝送するものであり、移動受信時に一部の搬送波の波形が乱れても、その周波数を使用して伝送するデータに誤りが発生するだけで、他の搬送波からのデータにより補正が可能であり、マルチパス干渉に強い。日本の地上ディジタル放送では、ＯＦＤＭのスペクトルラムを周波数毎に１３のセグメントに分割し、例えば第１から第６セグメントおよび第８から第１３のセグメントがフルセグメント放送に割り当てられ、これらのセグメントは、６４直交振幅変調（６４ＱＡＭ）により変調され、第７セグメントがワンセグメント放送に割り当てられ、ＱＰＳＫ等により変調される。
【０００４】
ＱＡＭとは、多数の振幅偏移変調を直交位相変調することで、位相変化と振幅変化を組み合わせた変調方式であり、１シンボル当たりの情報量を多くすることができるため、伝送効率が良いという利点があるが、高いＣＮ比(Carrier to Noise ratio)が必要となる。したがって、ＱＡＭ変調を用いたフルセグメント放送は、良好な電波状態でなければ、その番組を視聴することができない。
【０００５】
他方、位相偏移変調（ＰＳＫ）は、一定周波数の搬送波の位相を変化させることで変調するものであり、位相の種類を増やすことにより、変調１回当たりの送信するビットを増やすことができる。特に、ＱＰＳＫとは、１回の変調で２ビットを伝送するものである。ＱＰＫＳは、ＱＡＭと比較して伝送できる情報量は少ないが、電波状態が悪くＣＮ比が低い場合でも、情報を伝達でき、ノイズ耐性が高いという利点がある。
【０００６】
車載用の地上ディジタル受信装置では、受信エリアを広げるため、フルセグメント放送とワンセグメント放送の双方を自動的に切り替える階層間受信を行っている。つまり、自車の走行位置や受信環境によって電波状態が異なるため、受信状態が比較的良好な地域では、ノイズ耐性の低いフルセグメント放送を受信しこれを高品位にて出力し、受信状態が悪い地域では、ノイズ耐性の高いワンセグメント放送を受信しこれを出力している。
【０００７】
こうしたフルセグメント放送とワンセグメント放送の階層間受信の切り替えに関して、例えば、特許文献１は、フルセグメント放送の番組の誤り率がしきい値を越えると、ワンセグメント放送の番組に切替え、フルセグメント放送の受信状態が回復しても、一定時間が経過するまではワンセグメント放送を出力する技術を開示している。特許文献２は、フルセグメント放送の映像サイズとワンセグメント放送の映像サイズがディスプレイの表示サイズとそれぞれ異なるため、フルセグメントおよびワンセグメントの映像サイズを表示サイズに調整する技術を開示している。特許文献３は、出力しているフルセグメント放送番組の受信状態が悪化したとき、フルセグメント放送の番組とワンセグメント放送の番組が一致すれば、自動的にワンセグメント放送の番組に切替える技術を開示している。
【先行技術文献】
【特許文献】
【０００８】
【特許文献１】特開２００７−１８４９７号公報
【特許文献２】特開２００６−２７０２３１号公報
【特許文献３】特開２００６−５０５４０号公報
【発明の概要】
【発明が解決しようとする課題】
【０００９】
しかしながら、従来の車載用の地上ディジタル放送受信装置には次のような課題がある。図２（ａ）は、フルセグメント放送とワンセグメント放送の番組の自動切替を説明する図である。上段は、フルセグメント放送のデータストリームの時間を示し、下段は、ワンセグメントのデータストリームの時間を示している。例えば、フルセグメント放送の番組Ａを受信しているとき、時刻３の近傍において、誤り率（ビットエラーレート）が閾値を越えると、ワンセグメント放送の番組Ａに切替わる。このときの判定期間Ｔ１は、約０．５秒である。そして、ワンセグメント放送による番組Ａを出力している間に、フルセグメント放送の受信状況が回復したか否か、すなわち、フルセグメント放送の誤り率が閾値以下になったか否かを判定する。この判定期間Ｔ２は、約５秒である。判定期間Ｔ２において、誤り率の複数のサンプリングを行い、フルセグメント放送の良好な受信状況が安定的に継続していることを確認したうえで、フルセグメント放送への切り替えを行っている。
【００１０】
ところで、現状の地上ディジタルテレビ放送では、ワンセグメント放送の番組とフルセグメント放送の番組が同一である、いわゆるサイマル放送を前提していたが、２００８年以降、ワンセグメント放送は、独自の配信サービスをすることが可能になった。すなわち、ワンセグメント放送の番組は、フルセグメント放送の番組と異なる、いわゆる非サイマル放送が可能になった。非サイマル放送において、上記のサイマル放送の自動切換えを適用すると、番組の切り替えが頻繁に生じてしまい、映像および音声が切り替わることでユーザに不快感またはストレスを与えてしまう。図２（ｂ）は、フルセグメント放送で番組Ａを配信し、ワンセグメント放送で番組Ｂを配信しているときの自動切換えを示している。フルセグメント放送の番組Ａを受信しその出力をしているとき、時間３の近傍で誤り率が閾値を越えると、瞬時にワンセグメント放送の番組Ｂに切り替わり、番組Ａと異なる番組Ｂの音声および映像が出力される。
【００１１】
本発明は、このような従来の課題を解決し、同一チャンネルに複数の番組があるとき、異なる番組を切り替える際の違和感を抑制したディジタル放送受信装置および番組の切り替え方法を提供することを目的とする。
【課題を解決するための手段】
【００１２】
本発明に係るディジタル放送受信装置は、１つの伝送帯域を複数のセグメントに分割し、少なくとも１つのセグメントを利用した第１の変調方式による第１の番組と前記少なくとも１つのセグメントと異なるセグメントを利用した第２の変調方式による第２の番組を１つのチャンネルに含むディジタル放送を受信可能であり、ディジタル放送を受信する受信手段と、受信したディジタル放送の第１の番組と第２の番組とが同一か否かを判定する番組判定手段と、受信したディジタル放送の受信感度を抽出する感度抽出手段と、受信したディジタル放送の第１の番組から第２の番組または第２の番組から第１の番組への切り替えを行う切り替え手段と、前記切り替え手段により切り替えられた番組を出力する出力手段と、前記番組判定手段により第１の番組と第２の番組が異なると判定されたとき、前記感度抽出手段から抽出された受信感度に基づき、第１の番組と第２の番組が同一であるときの第１の判定期間よりも長い第２の判定期間で第１の番組から第２の番組への切り替え条件が満足されているかか否かを判定し、切り替え条件が満足されていると判定したとき、前記切り替え手段に第１の番組から第２の番組への切り替えを行わせる制御手段とを有する。
【００１３】
好ましくは前記制御手段は、前記感度抽出手段から抽出されたディジタル放送の誤り率と閾値とを比較し、第２の判定期間内において誤り率が閾値を超えた期間が一定以上であるとき前記切り替え条件が満足されたと判定する。好ましくは、前記制御手段は、第１の判定期間内において誤り率が第１の閾値を越えたか否かを判定し、第２の判定期間内において誤り率が第１の閾値より大きい第２の閾値を越えたか否かを判定する。
【００１４】
前記制御手段は、前記番組判定手段により第１の番組と第２の番組が異なると判定されたとき、前記感度抽出手段から抽出された受信感度に基づき、第１の番組と第２の番組が同一であるときの第３の判定期間よりも長い第４の判定期間で第２の番組から第１の番組への切り替え条件が満足されているかか否かを判定し、切り替え条件が満足されていると判定したとき、前記切り替え手段に第２の番組から第１の番組への切り替えを行わせるようにしてもよい。好ましくは前記制御手段は、前記感度抽出手段から抽出されたディジタル放送の誤り率と閾値とを比較し、第４の判定期間内において誤り率が閾値以下となる期間が一定以上であるとき前記切り替え条件が満足されたと判定する。好ましくは前記制御手段は、第３の判定期間内において誤り率が第３の閾値以下か否かを判定し、第４の判定期間内において誤り率が第３の閾値より小さい第４の閾値以下か否かを判定する。好ましくは前記出力手段は、第１の番組と第２の番組とが異なるとき、前記制御手段からの制御に基づき第１の番組と第２の番組との間にフェードインおよびフェードアウトの少なくとも一方の映像および音声を挿入する。
【００１５】
本発明に係るディジタル放送受信装置は、１つの伝送帯域を複数のセグメントに分割し、少なくとも１つのセグメントを利用した第１の変調方式による第１の番組と前記少なくとも１つのセグメントと異なるセグメントを利用した第２の変調方式による第２の番組を１つのチャンネルに含むディジタル放送を受信可能であって、ディジタル放送を受信する受信手段と、受信したディジタル放送の第1の番組と第２の番組とが同一か否かを判定する番組判定手段と、受信したディジタル放送の受信感度を抽出する感度抽出手段と、受信したディジタル放送の第１の番組から第２の番組または第２の番組から第１の番組への切り替えを行う切り替え手段と、前記切り替え手段により切り替えられた番組を出力する出力手段と、前記番組判定手段により第１の番組と第２の番組が異なると判定されたとき、前記感度抽出手段から抽出された受信感度に基づき、第１の番組と第２の番組が同一であるときの第１の閾値と異なる第２の閾値を用いて第１の番組から第２の番組への切り替え条件が満足されているかか否かを判定し、切り替え条件が満足されていると判定したとき、前記切り替え手段に第１の番組から第２の番組への切り替えを行わせる制御手段とを有する。
【００１６】
好ましくは前記制御手段は、受信したディジタル放送の誤り率と第２の閾値とを比較し、誤り率が第２の閾値を超えた期間が一定上であるとき前記切り替え条件が満足されたと判定する。好ましくは前記制御手段は、前記番組判定手段により第１の番組と第２の番組が異なると判定されたとき、前記感度抽出手段から抽出された受信感度に基づき、第１の番組と第２の番組が同一であるときの第３の閾値と異なる第４の閾値を用いて第２の番組から第１の番組への切り替え条件が満足されているかか否かを判定し、切り替え条件が満足されていると判定したとき、前記切り替え手段に第２の番組から第１の番組への切り替えを行わせるようにしてもよい。
【００１７】
本発明に係る番組の切り替え方法は、１つの伝送帯域を複数のセグメントに分割し、少なくとも１つのセグメントを利用した第１の変調方式による第１の番組と前記少なくとも１つのセグメントと異なるセグメントを利用した第２の変調方式による第２の番組を１つのチャンネルに、含むディジタル放送を受信可能なディジタル放送受信装置におけるものであって、選択されたチャンネルのディジタル放送を受信するステップと、受信したディジタル放送の受信感度を抽出するステップと、抽出された受信感度に基づき受信感度が悪化したと判定されたとき、第１の番組と第２の番組とが同一か否かを判定するステップと、第１の番組と第２の番組が同一であると判定されたとき、第１の判定期間で第１の番組から第２の番組への切り替え条件を満足するか否かを判定し、第１の番組と第２の番組が異なると判定されたとき、第１の判定期間よりも長い第２の判定期間で第１の番組から第２の番組への切り替え条件を満足するか否かを判定するステップと、前記切り替え条件を満足すると判定されたとき、第２の番組を出力するステップとを有する。
【発明の効果】
【００１８】
本発明によれば、同一チャンネル内の番組を切り替えるとき、番組が異なる場合には、番組が同一の場合よりも長い判定時間で切り替え条件が満足するか否かを判定するようにしたので、頻繁な番組の切り替えが抑制され、ユーザへのストレスを緩和することができる。また、異なる番組間の切り替えにおいて、フェードインまたはフェードアウトの映像および音声を挿入することによってユーザへのストレスを緩和することができる。
【図面の簡単な説明】
【００１９】
【図１】地上ディジタル放送のセグメント構造を説明する図である。
【図２】フルセグメント放送とワンセグメント放送間の番組の自動切り替えを説明する図であり、図２（ａ）は番組が同じサイマル放送、図２（ｂ）は番組が異なる非サイマル放送を示している。
【図３】図３（ａ）は、本発明の実施例に係るディジタル放送受信装置のブロック図であり、図３（ｂ）は、図３（ａ）の出力手段のブロック図である。
【図４】本発明の実施例に係る車載用地上ディジタルテレビ放送受信装置の構成を示すブロック図である。
【図５】本発明の第１の実施例に係るフルセグメントの番組からワンセグメントの番組への切り替え動作を示すフローチャートである。
【図６】本発明の第１の実施例に係るワンセグメントの番組からフルセグメントの番組への切り替え動作を示すフローチャートである。
【図７】第１の実施例における異なる番組間の切り替え動作を説明する図である。
【図８】本発明の第２の実施例に係るフルセグメントの番組からワンセグメントの番組への切り替え動作を示すフローチャートである。
【図９】第３の実施例に係るフェードアウトおよびフェードインを説明する図である。
【図１０】第３の実施例による番組の切り替え動作を説明する図である。
【発明を実施するための形態】
【００２０】
以下、本発明の最良の実施の形態について図面を参照して詳細に説明する。図３(ａ)は、本発明の実施の形態に係るディジタル受信装置の構成を示すブロック図である。本実施の形態のディジタル受信装置は、１つの伝送帯域を複数のセグメントに分割し、１つのチャンネルに、少なくとも１つのセグメントを利用した第１の変調方式による第１の番組と前記少なくとも１つのセグメントと異なるセグメントを利用した第２の変調方式による第２の番組を含むディジタル放送を受信するものである。第１の番組は、例えばフルセグメント放送により提供される番組であり、第２の番組は、ワンセグメント放送により提供される番組であり、以下の実施の形態および実施例の説明では、特に断りがない限り、第１の番組は、フルセグメント放送によるもの、第２の番組は、ワンセグメント放送によるものとする。
【００２１】
本実施の形態に係るディジタル放送受信装置１０は、選択されたチャンネルのディジタル放送を受信する受信手段１２と、受信手段１２で受信したディジタル放送の第１の番組と第２の番組とが同一か否かを判定する番組判定手段１４と、受信手段１２で受信したディジタル放送の受信感度を抽出する感度抽出手段１６と、受信手段１２で受信したディジタル放送の第１の番組から第２の番組または第２の番組から第１の番組への切り替えを行う切り替え手段１８と、切り替え手段１８により切り替えられた番組を出力する出力手段２０と、制御手段２２とを有する。
【００２２】
制御手段２２は、番組判定手段１４により第１の番組と第２の番組が異なると判定されたとき、感度抽出手段１６から抽出された受信感度に基づき、第１の番組と第２の番組が同一であるときの第１の判定期間よりも長い第２の判定期間で第１の番組から第２の番組への切り替え条件が満足されているかか否かを判定し、切り替え条件が満足されていると判定したとき、切り替え手段１８に第１の番組から第２の番組への切り替えを行わせる。
【００２３】
これにより、第１および第２の番組が異なる場合には、フルセグメント放送の受信感度が安定的または継続的に悪化した場合にワンセグメント放送へ切り替わり、瞬間的または極めて短い時間の受信感度の悪化の場合にはワンセグメント放送への切り替えが抑制される。また、ワンセグメント放送に切り替わった後も、フルセグメント放送の受信感度が瞬間的または極めて短い時間だけ受信感度が良好になったような場合にはフルセグメント放送への切り替えが抑制される。
【００２４】
他の好ましい実施の形態では、第１および第２の番組が異なると判定されたとき、制御手段２２は、受信したディジタル放送の受信感度を判定するための閾値を、第１および第２の番組が同一であるときの閾値と異ならせることができる。受信感度は、好ましくはディジタル放送の伝送中の誤り率が用いられ、これが閾値と比較される。第１および第２の番組が異なる場合には、フルセグメント放送からワンセグメント放送への切り替えが容易に行わないように閾値が変更される。
【００２５】
他の好ましい実施の形態では、出力手段２０は、第１の番組と第２の番組とが異なると判定されたとき、制御手段２２の制御に基づき第１の番組と第２の番組間にフェードインおよびフェードアウトの少なくとも一方の映像および音声を挿入することができる。これにより、番組の変化によるストレスを緩和することができる。
【００２６】
図３（ｂ）は、出力手段の構成を示すブロック図である。出力手段２０は、切り替え手段１８から出力された番組の音声データを記憶するバッファメモリ３０と、バッファメモリ３２から読み出された音声データを出力する音声出力部３２と、制御手段２２からの制御信号Ｓに基づき第１および第２の番組間にフェードインまたはフェードアウトのための音声を挿入するフェードイン／フェードアウト処理部３４を有する。さらに出力手段２０は、切り替え手段１８から出力された番組の映像データを記憶するバッファメモリ４０と、バッファメモリ４０から読み出された映像データを出力する映像出力部４２と、制御手段２２からの制御信号Ｓに基づき第１および第２の番組間にフェードインまたはフェードアウトのための映像を挿入するフェードイン／フェードアウト処理部４４を有する。
【実施例】
【００２７】
次に、本発明の第１の実施例について説明する。図４は、本発明の実施例に係る車載用ディジタルテレビ放送受信装置の構成を示すブロック図である。本実施例の車載用受信装置１００は、第１のアンテナ１０２と、第２のアンテナ１０３と、第１のアンテナ１０２に接続された第１のチューナ１０４と、第２のアンテナ３に接続された第２のチューナ１０５と、第１のチューナ１０４で受信された信号を復調する第１のＯＦＤＭ復調部１０６と、第２のチューナ５で受信された信号を復調する第２のＯＦＤＭ復調部１０７と、第１および第２のＯＦＤＭ復調部１０６、１０７からの信号を合成するダイバーシティ合成部１０８と、受信したディジタル放送の伝送中に生じる誤りを検出しそれを訂正する誤り訂正部１０９と、多重化されているストリームデータを分離し音声ストリーム、映像ストリームおよびデータストリームを得るデマルチプレクサ１１０と、第１の番組の音声ストリームをデコードしディジタル音声信号を生成する第１の音声デコーダ１１１と、第２の番組の音声ストリームをデコードしディジタル音声信号を生成する第２の音声デコーダ１１２と、第１の番組の映像ストリームをデコードし映像信号を生成する第１の映像デコーダ１１３と、第２の番組の映像ストリームをデコードし映像信号を生成する第２の映像デコーダ１１４と、データストリームをデコードするデータデコーダ１１５と、第１の番組または第２の番組の音声信号を切り替える音声切替処理部１１６と、第１の番組または第２の番組の映像信号を切り替える映像切替処理部１１７と、音声切替処理部１１６から出力されたディジタル音声信号をアナログ音声信号に変換するＤ／Ａコンバータ１１８と、アナログ音声信号を出力するスピーカ１１９と、映像切替処理部１１７から出力された映像信号をディスプレイに描画するための描画処理部１２０と、ディスプレイ１２１と、制御部１２２と、ユーザからの入力を受け取る入力部１２３とを有する。
【００２８】
第１および第２のチューナ１０４、１０５は、入力部１２３からのユーザの入力に応じて、選択されたチャンネルの周波数の放送信号を受信し、これを第１および第２のＯＦＤＭ復調部１０６、１０７へ出力する。第１および第２のＯＦＤＭ復調部１０６、１０７は、受信した信号を復調してトランスポートストリームを生成する。ダイバーシティ合成部１０８は、第１のＯＦＤＭ復調部１０６からのトランスポートストリームの位相を制御する位相器１０８ａおよび位相制御されたトランスポートストリームと第２のＯＦＤＭ復調部１０７からのトランスポートストリームを合成する合成器１０８ｂを含み、ダイバーシティ合成されたトランスポートストリームを誤り訂正部１０９へ出力する。ダイバーシティ合成を用いることで受信性能は向上するが、必ずしも必須ではない。
【００２９】
誤り訂正部１０９は、トランスポートストリームから受信したディジタル放送の伝送中の誤り率を算出し、誤り率を示す信号ＢＥＲを制御部１２２へ出力する。制御部１２２は、誤り率と閾値とを比較し、誤り率が閾値を超えるとき、受信感度が悪化していると判定し、閾値以下のとき受信感度が良好であると判定する。閾値は、例えば制御部１２２の不揮発性の書き換え可能なメモリに格納されている。なお、本実施例では、受信感度の判定に誤り率を用いるが、これ以外にも、第１および第２のチューナ１０４、１０５の受信強度が監視することで受信感度を判定することも可能である。
【００３０】
デマルチプレクサ１１０は、入力したトランスポートストリームに多重化されている音声ストリーム、映像ストリームおよびデータストリームを分離し、それぞれのデコーダ１１１、１１２、１１３、１１４、１１５へ出力する。ここで、データストリームには、データ放送用の情報ストリームが含まれ、さらにそこには、ＥＩＴ（Event Information Table）が含まれている。ＥＩＴには、番組の名称、放送日時、番組内容、番組を識別するためのイベントＩＤ等が含まれている。このイベントＩＤをチェックすることで、フルセグメントの番組とワンセグメントの番組が同一か否かを判定することができる。
【００３１】
第１の音声デコーダ１１１は、フルセグメントの番組、すなわち第１の番組の音声ストリームをデコードし、ディジタル音声信号を出力する。第２の音声デコーダ１１２は、ワンセグメントの番組、すなわち第２の番組の音声ストリームをデコードし、ディジタル音声信号を出力する。第１の映像デコーダ１１３は、第１の番組の映像ストリームをデコードし、第２の映像デコーダ１１４は、第２の番組の映像ストリームをデコードし、それぞれ映像信号を出力する。データデコーダ１１５は、データストリームをデコードし、その結果を制御部１２２へ出力する。
【００３２】
音声切替処理部１１６は、制御部１２２からの切り替え信号Ｓに応じて第１の番組または第２の番組の音声信号を選択し、映像切替処理部１１７は、制御部１２２からの制御信号に応じて第１の番組または第２の番組の映像信号を選択する。さらに、音声切替処理部１１６および映像切替処理部１１７は、後述するように、制御部１２２からの制御信号に応じて、異なる番組間の切り替えを行うときに、フェードインまたはフェードアウトを実行するための音声信号および映像信号を番組間に挿入する。
【００３３】
Ｄ／Ａコンバータ１１８は、音声切替処理部１１６から出力された音声信号をアナログ音声信号に変換し、スピーカ１１９がこれを出力する。描画処理部１２０は、映像切替処理部１１７から出力された映像信号をディスプレイ１２１の表示サイズに適合するようにスケーリング処理等を行い、ディスプレイがこれを出力する。入力部１２３は、マウス、キーボード、タッチパネル等のユーザ入力インターフェースを提供し、入力された情報が制御部１２２へ出力される。
【００３４】
次に、本実施例における番組の切り替え動作について図５のフローチャートを参照して説明する。始めに、ユーザによって所望のチャンネルが選択され、チャンネルの第１の番組、すなわちフルセグメントの番組がスピーカ１１９およびディスプレイ１２１から出力されているものとする（ステップＳ１０１）。誤り訂正部１０９は、選択されたチャンネルのトランスポートストリームの誤り率を算出し、誤り率を示す信号ＢＥＲを制御部１２２へ出力する。制御部１２２は、誤り率と閾値とを比較し、誤り率が閾値以下であるか否かを判定する（ステップＳ１０２）。誤り率が閾値以下であれば、受信感度は良好であり、フルセグメントの番組の出力が継続される。他方、誤り率が閾値を越えると、制御部１２２は、受信感度が悪化したと判定し、これに応答して、フルセグメントの番組とワンセグメントの番組とが同一か否かを判定する（ステップＳ１０３）。この判定には、上記したイベントＩＤが利用され、すなわち、第１の番組のイベントＩＤと第２の番組のイベントＩＤとが一致するか否かが判定される。
【００３５】
制御部１２２は、第１および第２の番組が一致するとき、切り替え条件を判定するための判定期間をＴ１に設定し（ステップＳ１０４）、番組が一致しないとき、判定期間Ｔ１ａ（Ｔ１ａ＞Ｔ１）を設定する。好ましくは、判定期間Ｔ１は、デフォルトの設定であり、番組が一致しないときのみ、判定時間Ｔ１ａを変更するようにしてもよい。
【００３６】
次に、制御部１２２は、判定期間Ｔ１、Ｔ１ａ内において、誤り率が閾値を越えるか否かをさらに判定する。好ましくは、制御部１２２は、一定のサンプリング間隔にて誤り率と閾値と比較し、誤り率が連続して閾値を何回越えたか、その回数をカウントし、カウント値が予め決められた所定値以上に到達したとき、切り替え条件が満足されたと判定する。もし、途中で誤り率が閾値以下となったときには、カウント値がリセットされ、最初からカウントが開始される。番組が異なる場合には、判定期間Ｔ１ａが判定期間Ｔ１よりも長いので、その間だけ、余分に誤り率と閾値との比較を行うことができる。そして、切替条件を判定するための所定値は、番組が一致するときと番組が異なるときで同じであってもよいが、好ましくは、番組が異なる場合には判定期間が長くなるので、それに応じて所定値の値を大きくすることができる。
【００３７】
制御部１２２は、カウント値が所定値以上になったとき、切替条件が満足さえたと判定し（ステップＳ１０６）、音声切替処理部１１６および映像切替処理部１１７に対して、ワンセグメントの番組を選択するような切り替え信号Ｓを出力する。これにより、スピーカ１１９およびディスプレイ１２１からワンセグメントの番組、すなわち第２の番組が出力される（ステップＳ１０７）。他方、判定期間Ｔ１、Ｔ１ａ内にカウント値が所定値に到達しなかった場合には、切替条件が満足されないと判定し、制御部１２２は、フルセグメントの番組の出力を継続させる。
【００３８】
次に、ワンセグメントの番組からフルセグメントの番組に切り替わるときの動作を図６のフローチャートを参照して説明する。制御部１２２からの切り替え信号Ｓに基づき音声切替処理部１１６および映像切替処理部１１７は、ワンセグメントの番組を選択し、これがスピーカ１１９およびディスプレイ１２１から出力されている（ステップＳ２０１）。
【００３９】
制御部１２２は、トランスポートストリームの誤り率を監視し、誤り率が閾値以下になったか否かを判定する（ステップＳ２０２）。誤り率が閾値以下になることは、フルセグメント放送の受信感度が良好になることを意味する。誤り率が閾値を越えている場合には、ワンセグメントの番組が継続して出力される。
【００４０】
制御部１２２は、誤り率が閾値以下になると、第１および第２の番組が一致するか否かを判定し（ステップＳ２０３）、番組が一致するとき、制御部１２２は、判定期間Ｔ２を設定し、番組が一致しないとき判定期間Ｔ２ａ（Ｔ２ａ＞Ｔ２）を設定する（ステップＳ２０３、Ｓ２０４）。好ましくは、判定期間Ｔ２＞Ｔ１、Ｔ２ａ＞Ｔ１ａである。
【００４１】
制御部１２２は、図５のステップＳ１０６のときと同様に、誤り率が閾値以下になる連続した回数をカウントし、カウント値が所定値以上になったとき切替条件が満足されたと判定する。切替条件が満足されると、制御部１２２は、音声切替処理部１１６および映像切替処理部１１７に切り替え信号Ｓを出力し、フルセグメントの番組の音声および映像を選択させる。これにより、スピーカ１１９およびディスプレイ１２１から第１の番組、すなわちフルセグメントの番組が出力される（ステップＳ２０７）。
【００４２】
図７は、第１および第２の番組が異なるときの切り替え動作を説明する図である。番組が同一であるときの切り替え動作は、図２（ａ）と同様である。図７に示すように、フルセグメントの番組Ａを出力中に、時間３近傍にて受信感度が悪化すると、その時点から判定期間Ｔ１ａが開始される。判定期間Ｔ１ａ内において切替条件が満足されると、ワンセグメントの番組Ｂに出力が切り替わる。ワンセグメントの番組Ｂを出力中に、ディジタル放送の受信感度が良好になると、その時点から判定期間Ｔ２ａが開始される。そして、判定期間Ｔ２ａ内において切替条件が満足されると、フルセグメントの番組Ａに出力が切り替わる。このように、異なる番組間で切り替えを行う場合には、同一番組のときの判定期間よりも長い時間を設定して安定的な継続性のある受信状況を判定するようにしたので、頻繁に番組が切り替わることを抑制することができる。
【００４３】
次に、本発明の第２の実施例について説明する。第１の実施例では、番組が異なるときに判定期間を長くするようにしたが、第２の実施例では、番組が異なるとき、受信感度を判定するための閾値を変更するものである。図８は、第２の実施例の切り替え動作を説明するフローチャートである。同図に示すように、フルセグメントの番組を出力しているとき（ステップＳ３０１）、その受信感度が悪化すると（ステップＳ３０２）、制御部１２２は、番組が一致しているか否かを判定し（ステップＳ３０３）、番組が一致しているときには、閾値は変更されずに第１の値に設定され（ステップＳ３０４）、番組が異なるときには、閾値は第２の値に設定される。第２の値は、第１の値よりも高い。つまり、受信感度が悪化したと判定される基準が厳しくなり、言い換えれば、受信感度が良好であると判定され易くなり、ワンセグメント放送への容易な切り替えが抑制される。
【００４４】
制御部１２２は、誤り率と閾値とを比較し、切替条件が満足されるか否かを判定し、切替条件が満足された場合には、ワンセグメントの番組が出力されるように音声切替処理部１１６および映像切替処理部を制御する（ステップＳ１０７）。
【００４５】
他方、ワンセグメントの番組をフルセグメントの番組に切替える場合にも、上記と同様に番組が一致するか否かによって受信感度を判定するための閾値を変更する。番組が異なるときの閾値は、番組が一致するときの閾値よりも小さくし、フルセグメントの番組の受信感度が良好と判定される基準を厳しくし、言い換えれば、受信感度が悪化であると判定され易くなり、フルセグメントの番組への切り替えが容易に生じないようにする。
【００４６】
なお、第２の実施例の切り替え動作は、第１の実施例の切り替え動作と組み合わせて用いることも可能である。
【００４７】
次に、本発明の第３の実施例について説明する。第３の実施例では、第１の実施例または第２の実施例に加えて、異なる番組間の切り替えの際に、フェードイン、フェードアウトの音声および映像を挿入することで、異なる番組出力の違和感を和らげるものである。
【００４８】
図９は、番組切り替え時のフェードアウトおよびフェードインを説明する図である。図９（ａ）の矩形は、ディスプレイに表示されるフレームデータ、ＴＦは、フェードインおよびフェードアウトの全体の期間、ＴＦＯは、フェードアウトの期間、ＴＦＩは、フェードインの期間である。フルセグメントの番組が出力されているとき、「Ｘ」を含むフレームデータがディスプレイに表示され、ワンセグメントの番組に切り替わるとき、「Ｙ」を含むフレームデータがディスプレイに表示される。番組が異なるとき、映像切替処理部１１７は、制御部１１２からの指令に応じて、フェードアウトおよびフェードインの映像を挿入することができる。
【００４９】
映像切替処理部１１７は、フェードアウト期間ＴＦＯにおいて、「Ｘ」のフレームデータの輝度を階調的に小さくした複数のフレームデータを生成する。例えば、フェードアウト期間ＴＦＯが０．５秒であれば、約１５段階で輝度が異なるフレームデータ（フレーム周期を１／３０秒のとき）を作成する。また、フェードイン期間ＴＦＩにおいて、「Ｙ」のフレームデータの輝度が段階的に大きくなる複数のフレームデータを作成する。フェードイン期間ＴＦＩが約０．５秒であれば、約１５段階で輝度が異なるフレームデータを作成する。映像切替処理部１１７は、このように生成されたフレームデータを、フルセグメントの番組の映像とワンセグメントの映像との間に挿入し、これを描画処理部１２０へ出力する。
【００５０】
音声切替処理部１１６は、映像切替処理部１１７によるフェードアウトおよびフェードインの処理と同期して、音声のフェードアウトおよびフェードイン処理を行う。図９（ｂ）は、フェードアウトおよびフェードインの例を示すグラフである。フェードアウト期間ＴＦＯに、フルセグメントの番組の音声レベルＶａが段階的または線形に小さくなるように音声信号を処理し、フェードイン期間ＴＦＩに、ワンセグメントの番組の音声レベルＶｂが段階的または線形に大きくなるように音声信号を処理する。
【００５１】
図１０は、フェードアウトおよびフェードイン処理を伴う切り替え動作を説明する図である。同図に示すように、フルセグメントの番組Ａを出力し、これがワンセグメントの番組Ｂに切り替わるとき、期間ＴＦにおいてフェードアウトおよびフェードイン処理が行われる。同様に、ワンセグメントの番組Ｂからフルセグメントの番組Ａに切り替わるときにも同様にフェードアウトおよびフェードインの処理が実行される。なお、上記実施例では、フェードアウトおよびフェードインの処理を行う例を示したが、フェードアウトまたはフェードインのいずれか一方の処理を行うようにしてもよい。また、フェードアウトまたはフェードインの処理は、映像の輝度や明るさを調整する以外にも、例えば、色合いがカラーから白黒、白黒からカラーへと変化するようなフェードアウト、フェードインの処理であってもよい。
【００５２】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００５３】
１０：ディジタル方送受信装置        １２：受信手段
１４：番組判定手段                  １６：感度抽出手段
１８：切り替え手段                  ２０：出力手段
２２：制御手段                      ３０、４０：バッファメモリ
３２：音声出力部                    ３４、４４：ＦＩ／ＦＯ処理部
４２：映像出力部
【図１】
2010178241.tif 000003
【図２】
2010178241.tif 000004
【図３】
2010178241.tif 000005
【図４】
2010178241.tif 000006
【図５】
2010178241.tif 000007
【図６】
2010178241.tif 000008
【図７】
2010178241.tif 000009
【図８】
2010178241.tif 000010
【図９】
2010178241.tif 000011
【図１０】
2010178241.tif 000012